(57)【要約】      （修正有）【課題】持ち運びの時に他の物を傷つけることがなく、容易に朱肉部を開閉することができる朱肉ケースを提供する。【解決手段】蓋体１と本体２とからなり、蓋体１は朱肉部３と、前記朱肉部３を開閉する朱肉用フタ４を有し、本体２は端部に設けられた前記蓋体１と嵌合する嵌合用突起６と、印鑑１０を収納する印鑑収納部９を有し、前記嵌合用突起６を介して蓋体１と本体２とが嵌合または脱離する朱肉ケースであって、前記蓋体１の朱肉用フタ４には係止用突起１１が設けられ、本体には係止用溝１２が設けられ、蓋体１と本体２とが脱離した状態では蓋体１の朱肉用フタ４が開いて朱肉部３が露出し、蓋体１と本体２とが嵌合した状態では蓋体１の朱肉用フタ４が朱肉部３を閉じて、前記朱肉用フタ４の係止用突起１１が本体２の係止用溝１２に挿入して本体２と蓋体１とが一体となる朱肉ケース。【選択図】図１
2008307712.tif 000002
【特許請求の範囲】
【請求項１】
蓋体と本体とからなり、蓋体は朱肉部と、前記朱肉部を開閉する朱肉用フタを有し、本体は端部に設けられた前記蓋体と嵌合する嵌合用突起と、印鑑を収納する印鑑収納部を有し、前記嵌合用突起を介して蓋体と本体とが嵌合または脱離する朱肉ケースであって、前記蓋体の朱肉用フタには係止用突起が設けられ、本体には係止用溝が設けられ、蓋体と本体とが脱離した状態では蓋体の朱肉用フタが開いて朱肉部が露出し、蓋体と本体とが嵌合した状態では蓋体の朱肉用フタが朱肉部を閉じて、前記朱肉用フタの係止用突起が本体の係止用溝に挿入して本体と蓋体とが一体となることを特徴とする朱肉ケース。
【請求項２】
前記朱肉用フタはバネにより朱肉部を開閉することを特徴とする請求項１に記載の朱肉ケース。
【請求項３】
前記印鑑収納部は、嵌合用突起と本体とに設けられ中空部分からなることを特徴とする請求項１に記載の朱肉ケース。
【発明の詳細な説明】
【技術分野】
【０００１】
本発明は朱肉ケースに関し、特に本体と蓋体とが嵌合または脱離する朱肉ケースに関する。
【背景技術】
【０００２】
従来の朱肉ケースは、本体に朱肉部と印鑑収納部が設けられ、該本体を蓋体が覆うものが用いられていた。
具体的には、朱肉部と印鑑収納部を有する本体と、蓋体とは、一方の端部が蝶番により接合され、他方の端部に口金が設けられていた。捺印する時には、手で口金を開いて印鑑を取り出し、捺印した後には口金を閉めて本体と蓋体を閉じる朱肉ケースが用いられていた。（特許文献１、２）
【特許文献１】特開２００５−４７１４４号公報
【特許文献２】特開２００５−２９７３７５号公報
【発明の開示】
【発明が解決しようとする課題】
【０００３】
従来の朱肉ケースは、蝶番と口金が朱肉ケースの外側に突出しているために、朱肉ケースを他の物と一諸に容器に収納して持ち運ぶと、蝶番と口金が他の物を傷つけたりする問題があった。また、手で口金を開いて印鑑を取り出す際に、指先に力が掛かるために、老人や怪我をした人等の指先の力が弱い人には負担が大きい問題があった。
【０００４】
本発明は、この様な背景技術に鑑みてなされたものであり、使用しない時には、蓋体と本体が嵌合して一体に形成され、使用する時には、本体と蓋体とを脱離することにより自動的に朱肉部が露出し、持ち運びの時に他の物を傷つけることがなく、容易に朱肉部を開閉することができる朱肉ケースを提供するものである。
【課題を解決するための手段】
【０００５】
すなわち、本発明は、蓋体と本体とからなり、蓋体は朱肉部と、前記朱肉部を開閉する朱肉用フタを有し、本体は端部に設けられた前記蓋体と嵌合する嵌合用突起と、印鑑を収納する印鑑収納部を有し、前記嵌合用突起を介して蓋体と本体とが嵌合または脱離する朱肉ケースであって、前記蓋体の朱肉用フタには係止用突起が設けられ、本体には係止用溝が設けられ、蓋体と本体とが脱離した状態では蓋体の朱肉用フタが開いて朱肉部が露出し、蓋体と本体とが嵌合した状態では蓋体の朱肉用フタが朱肉部を閉じて、前記朱肉用フタの係止用突起が本体の係止用溝に挿入して本体と蓋体とが一体となることを特徴とする朱肉ケースである。
【発明の効果】
【０００６】
本発明によれば、使用しない時には、蓋体と本体が嵌合して一体に形成され、使用する時には、本体と蓋体とを脱離することにより自動的に朱肉部が露出し、持ち運びの時に他の物を傷つけることがなく、容易に朱肉部を開閉することができる朱肉ケースを提供することができる。
【発明を実施するための最良の形態】
【０００７】
以下、本発明を詳細に説明する。
本発明の朱肉ケースは、蓋体と本体とからなり、蓋体は朱肉部と、前記朱肉部を開閉する朱肉用フタを有し、本体は端部に設けられた前記蓋体と嵌合する嵌合用突起と、印鑑を収納する印鑑収納部を有し、蓋体と本体とが嵌合用突起を介して嵌合または脱離することができる。印鑑収納部に印鑑を収納して、印鑑入り朱肉ケースとして使用することができる。
【０００８】
本発明の朱肉ケースには、前記蓋体の朱肉用フタには係止用突起が設けられ、本体には係止用溝が設けられ、蓋体と本体とが脱離した状態では蓋体の朱肉用フタが開いて朱肉部が露出し、蓋体と本体とが嵌合用突起を介して嵌合した状態では蓋体の朱肉用フタが朱肉部を閉じて、前記朱肉用フタの係止用突起が本体の係止用溝に挿入して本体と蓋体とが一体となる。
【０００９】
前記朱肉用フタはバネにより朱肉部を開閉することが好ましい。
前記印鑑収納部は、嵌合用突起と本体とに設けられ中空部分からなることが好ましい。
【実施例】
【００１０】
以下、実施例を示し本発明をさらに具体的に説明する。
次に、本発明の朱肉ケースを図面に基づいて説明する。
図１は、本発明の朱肉ケースの一実施態様を示す斜視図であり、図１（ａ）は蓋体と本体とが嵌合した状態を示し、図１（ｂ）は蓋体と本体とが脱離した状態を示す。図２は図１のＡＡ線断面図である。ただし、蓋体の朱肉用フタが閉じた状態を示す。
【００１１】
図３は蓋体の朱肉用フタの開閉状態を示す説明図であり、図３（ａ）、（ｃ）は朱肉用フタが閉じた状態を示し、図３（ｂ）は朱肉用フタが開いた状態を示す。図６は本発明の朱肉ケースに印鑑を収納した状態を示す概略図である。
【００１２】
図１において、本発明の朱肉ケースは、外形が直方体の形状からなり、蓋体１と、本体２とから構成されている。
蓋体１は直方体の形状で、中空部５を有する。蓋体１には、１つの面に朱肉部３と、該朱肉部３を開閉する朱肉用フタ４が設けられている。
【００１３】
図１では、朱肉用フタ４が、蓋体１と本体２が嵌合する方向に対して上方に直角方向に開閉する朱肉ケースを表している。
本体２は直方体の形状で、中空部８を有する。本体２の端部７には前記蓋体と嵌合する中空の嵌合用突起６が設けられ、中空部８と嵌合用突起６とからなる中空部分が印鑑を収納する印鑑収納部９を形成している。図６に示す様に、印鑑１０は印鑑収納部９に収納される。
【００１４】
前記蓋体１と本体２とは、嵌合用突起６を介して嵌合または脱離することができる。図１（ｂ）に示す様に、蓋体１の中空部５に、本体２の嵌合用突起６が嵌合すると、蓋体１と本体２は一体となり、全体の形状は直方体となる。また、図１（ａ）に示す様に、本体２の嵌合用突起６を蓋体１の中空部５から脱離すると、蓋体と本体は分離する。
【００１５】
蓋体１の朱肉用フタ４の本体２と対向する面に係止用突起１１が設けられ、また本体２の端部７には、前記係止用突起１１と対応する位置に係止用溝１２が設けられている。
図３に示す様に、朱肉用フタ４と蓋体１は、ヒンジ部１５において、ピン１３を介して回動自在に接合し、該ヒンジ部１５の一部分の位置に設けられたバネ１４により、朱肉用フタ４がはね上って朱肉部３の面に対して上方に直角方向に開いて開状態を維持する様に構成さている。朱肉用フタ４を手で押すと閉状態とすることができる。
【００１６】
蓋体１と本体２とが脱離した状態では、バネ１４の力により、自動的に蓋体の朱肉用フタ４が開いた状態を維持して朱肉部３が露出する。
蓋体１の朱肉用フタ４を手で押して閉じた状態にして、蓋体１を本体２の嵌合用突起６に嵌合して、朱肉用フタの係止用突起１１を本体の係止用溝１２に挿入して、蓋体１を本体２とが嵌合した状態にすると、本体と蓋体とが一体となった朱肉ケースとなる。朱肉ケースは外形が直方体であり、表面に突起などはなく、持ち運びの時に他の物を傷つけることがない。
【００１７】
図４は本発明の朱肉ケースの他の実施態様を示す説明図であり、図４は朱肉用フタが閉じた状態を示し、図５は図４に示す朱肉用フタが開いた状態を示す。
図４の朱肉ケースでは、朱肉用フタ４が、蓋体１と本体２が嵌合する方向に対して反対方向に開閉する朱肉ケースを表している。
【００１８】
この朱肉ケースは、蓋体１の朱肉用フタ４は、蓋体１と本体２が嵌合した時に、蓋体１の本体２と離れた位置に設けられている以外は、前述の図１〜図３に示す朱肉ケースと同様である。
【００１９】
本発明の朱肉ケースは、使用していない状態では、朱肉用フタが朱肉部を閉じた状態で、朱肉用フタの係止用突起が本体の係止用溝に挿入して蓋体と本体とが嵌合して一体となっている。朱肉ケースを使用する時には、蓋体と本体を手で引いて蓋体を本体から脱離すると、朱肉用フタの係止用突起が本体の係止用溝から抜けて、蓋体のバネの力が開放され、自動的に朱肉用フタがはね上って開いて朱肉部が露出する。本体の印鑑収納部に収納されている印鑑を取り出して、朱肉部の朱肉を付けて捺印することができる。
【００２０】
また、本発明の朱肉ケースは、嵌合用突起を介して蓋体と本体とを嵌合または脱離する動作と同時に、自動的に容易に蓋体の朱肉部を開閉することができる。
【産業上の利用可能性】
【００２１】
本発明の朱肉ケースは、蓋体と本体が嵌合して一体に形成されているので、持ち運びの時に他の物を傷つけることがなく、また使用する時には、本体と蓋体とを脱離することにより自動的に朱肉部が露出し、容易に朱肉部を開閉することができるので、持ち運びや携帯用の朱肉ケースとして利用することができる。
【図面の簡単な説明】
【００２２】
【図１】本発明の朱肉ケースの一実施態様を示す斜視図である。
【図２】図１のＡＡ線断面図である。
【図３】本発明の朱肉ケースにおける蓋体の朱肉用フタの開閉状態を示す説明図である。
【図４】本発明の朱肉ケースの他の実施態様を示す説明図である。
【図５】図４に示す朱肉ケースの朱肉用フタが開いた状態を示す概略図である。
【図６】本発明の朱肉ケースに印鑑を収納した状態を示す概略図である。
【符号の説明】
【００２３】
１、１ａ  蓋体
２  本体
３  朱肉部
４、４ａ  朱肉用フタ
５  中空部
６  嵌合用突起
７  端部
８  中空部
９  印鑑収納部
１０  印鑑
１１  係止用突起
１２  係止用溝
１３  ピン
１４  バネ
１５  ヒンジ部
【図１】
2008307712.tif 000003
【図２】
2008307712.tif 000004
【図３】
2008307712.tif 000005
【図４】
2008307712.tif 000006
【図５】
2008307712.tif 000007
【図６】
2008307712.tif 000008